【手続補正書】
【提出日】平成15年10月17日(2003.10.17)
【手続補正１】
【補正対象書類名】明細書
【補正対象項目名】発明の名称
【補正方法】変更
【補正の内容】
【発明の名称】液体タンクおよびその製造方法ならびにインクジェット装置


【手続補正２】
【補正対象書類名】明細書
【補正対象項目名】特許請求の範囲
【補正方法】変更
【補正の内容】
【特許請求の範囲】
【請求項１】
内部に負圧を導入するための負圧導入部と、この負圧導入部から導入される負圧により内部に液体を取り入れるための液体取り入れ部と、前記負圧導入部に配されて気体のみを通す気液分離部材とを具えた液体タンクであって、
前記気液分離部材は、前記気液分離部材の少なくとも外周縁部に形成されて前記負圧導入部に接合される接合部と、通気に寄与する通気領域とを有することを特徴とする液体タンク。
【請求項２】
液体を収容する容器本体と、前記液体を取り出す開口と、前記容器本体を大気に対して連通する大気連通口と、この大気連通口に配されて気体のみを通す気液分離部材とを具えた液体タンクであって、
前記気液分離部材は、前記気液分離部材の少なくとも外周縁部に形成されて前記大気連通口に接合される接合部と、通気に寄与する通気領域とを有することを特徴とする液体タンク。
【請求項３】
前記気液分離部材は、前記接合部と前記通気領域との間に非接合部をさらに有することを特徴とする請求項１または請求項２に記載の液体タンク。
【請求項４】
前記非接合部が非加熱部であることを特徴とする請求項３に記載の液体タンク。
【請求項５】
前記接合部が熱融着部であることを特徴とする請求項１から請求項４の何れかに記載の液体タンク。
【請求項６】
内部に負圧を導入するための負圧導入部と、
この負圧導入部から導入される負圧により内部に液体を取り入れるための液体取り入れ部と、
前記負圧導入部に配されて気体のみを通す気液分離部材と、
前記負圧導入部に取り付けられて前記気液分離部材の少なくとも外周縁部を挟持する押え部材と
を具えたことを特徴とする液体タンク。
【請求項７】
液体を収容する容器本体と、
前記液体を取り出す開口と、
前記容器本体を大気に対して連通する大気連通口と、
この大気連通口に配されて気体のみを通す気液分離部材と、
前記大気連通口に取り付けられて前記気液分離部材の少なくとも外周縁部を挟持する押え部材と
を具えたことを特徴とする液体タンク。
【請求項８】
前記気液分離部材がＰＴＦＥからなることを特徴とする請求項１から請求項７の何れかに記載の液体タンク。
【請求項９】
前記気液分離部材には撥液処理がなされていることを特徴とする請求項８に記載の液体タンク。
【請求項１０】
インクまたはプリント媒体に対するインクのプリント性を調整するための処理液が貯溜されていることを特徴とする請求項１から請求項９の何れかに記載の液体タンク。
【請求項１１】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
前記気液分離部材の前記液体に臨む面と反対側の面から加熱し、前記気液分離部材の少なくとも外周縁部を前記負圧導入部に熱融着して接合するステップを具えたことを特徴とする液体タンクの製造方法。
【請求項１２】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
前記気液分離部材の少なくとも外周縁部を筒状の熱融着ヘッドを用いて前記負圧導入部に熱融着するステップと、
この熱融着ステップ中に前記熱融着ヘッドの内側から空気を吸引するステップと
を具えたことを特徴とする液体タンクの製造方法。
【請求項１３】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
前記気液分離部材の少なくとも外周縁部を筒状の熱融着ヘッドを用いて前記負圧導入部に熱融着するステップと、
この熱融着ステップ中に前記気液分離部材の通気領域およびその周辺を熱遮断部材で覆うステップと
を具えたことを特徴とする液体タンクの製造方法。
【請求項１４】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
筒状の熱融着ヘッドを前記気液分離部材を介して前記負圧導入部に押し当てるステップと、
前記熱融着ヘッドを前記気液分離部材の少なくとも外周縁部に押し当てた後に前記熱融着ヘッドの先端部のみを加熱し、前記気液分離部材の少なくとも外周縁部を前記負圧導入部に熱融着させるステップと
を具えたことを特徴とする液体タンクの製造方法。
【請求項１５】
前記熱融着ヘッドは、前記気液分離部材に接触する先端部にのみヒータが組み込まれていることを特徴とする請求項１４に記載の液体タンクの製造方法。
【請求項１６】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
前記気液分離部材の少なくとも外周縁部をレーザーを用いて前記負圧導入部に熱融着することを特徴とする液体タンクの製造方法。
【請求項１７】
内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、
前記気液分離部材の少なくとも通気領域の一部を振動遮断手段で押さえた状態で、前記気液分離部材の少なくとも外周縁部を超音波溶着により固定することを特徴とする液体タンクの製造方法。
【請求項１８】
前記気液分離部材がＰＴＦＥからなることを特徴とする請求項１１から請求項１７の何れかに記載の液体タンクの製造方法。
【請求項１９】
前記気液分離部材には撥液処理がなされていることを特徴とする請求項１８に記載の液体タンクの製造方法。
【請求項２０】
請求項１１から請求項１９の何れかに記載の製造方法で構成されていることを特徴とする液体タンク。
【請求項２１】
請求項１から請求項１０および請求項２０の何れかに記載の液体タンクに負圧を作用させて液体を導入するための負圧発生機構を具えたことを特徴とするインクジェット装置。
【手続補正３】
【補正対象書類名】明細書
【補正対象項目名】０００１
【補正方法】変更
【補正の内容】
【０００１】
【発明の属する技術分野】
本発明は、プリント媒体に画像を形成するためのインクやプリント媒体に対するインクのプリント性を調整するための処理液を貯溜する液体タンクおよびその製造方法ならびにこの液体タンクを用いるインクジェット装置に関する。


【手続補正４】
【補正対象書類名】明細書
【補正対象項目名】０００８
【補正方法】変更
【補正の内容】
【０００８】
【発明の目的】
本発明の目的は、気液分離部材の撥液性を良好に保ち得る液体タンクおよびその製造方法ならびにこの液体タンクを使用するインクジェット装置を提供することにある。


【手続補正５】
【補正対象書類名】明細書
【補正対象項目名】０００９
【補正方法】変更
【補正の内容】
【０００９】
【課題を解決するための手段】
本発明の第１の形態は、内部に負圧を導入するための負圧導入部と、この負圧導入部から導入される負圧により内部に液体を取り入れるための液体取り入れ部と、前記負圧導入部に配されて気体のみを通す気液分離部材とを具えた液体タンクであって、前記気液分離部材は、前記気液分離部材の少なくとも外周縁部に形成されて前記負圧導入部に接合される接合部と、通気に寄与する通気領域とを有することを特徴とするものである。


【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
本発明の第１の形態は、内部に負圧を導入するための負圧導入部と、この負圧導入部から導入される負圧により内部に液体を取り入れるための液体取り入れ部と、前記負圧導入部に配されて気体のみを通す気液分離部材とを具えた液体タンクであって、前記気液分離部材は、前記気液分離部材の少なくとも外周縁部に形成されて前記負圧導入部に接合される接合部と、通気に寄与する通気領域とを有することを特徴とするものである。


【手続補正１６】
【補正対象書類名】明細書
【補正対象項目名】００２０
【補正方法】変更
【補正の内容】
【００２０】
本発明の第２の形態は、液体を収容する容器本体と、前記液体を取り出す開口と、前記容器本体を大気に対して連通する大気連通口と、この大気連通口に配されて気体のみを通す気液分離部材とを具えた液体タンクであって、前記気液分離部材は、前記気液分離部材の少なくとも外周縁部に形成されて前記大気連通口に接合される接合部と、通気に寄与する通気領域とを有することを特徴とするものである。


【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
本発明の第３の形態は、内部に負圧を導入するための負圧導入部と、この負圧導入部から導入される負圧により内部に液体を取り入れるための液体取り入れ部と、前記負圧導入部に配されて気体のみを通す気液分離部材と、前記負圧導入部に取り付けられて前記気液分離部材の少なくとも外周縁部を挟持する押え部材とを具えたことを特徴とする液体タンクにある。


【手続補正２０】
【補正対象書類名】明細書
【補正対象項目名】００２４
【補正方法】変更
【補正の内容】
【００２４】
本発明の第４の形態は、液体を収容する容器本体と、前記液体を取り出す開口と、前記容器本体を大気に対して連通する大気連通口と、この大気連通口に配されて気体のみを通す気液分離部材と、前記大気連通口に取り付けられて前記気液分離部材の少なくとも外周縁部を挟持する押え部材とを具えたことを特徴とする液体タンクにある。


【手続補正２１】
【補正対象書類名】明細書
【補正対象項目名】００２５
【補正方法】変更
【補正の内容】
【００２５】
本発明の第５の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、前記気液分離部材の前記液体に臨む面と反対側の面から加熱し、前記気液分離部材の少なくとも外周縁部を前記負圧導入部に熱融着して接合するステップを具えたことを特徴とするものである。


【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
本発明の第６の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、前記気液分離部材の少なくとも外周縁部を筒状の熱融着ヘッドを用いて前記負圧導入部に熱融着するステップと、この熱融着ステップ中に前記熱融着ヘッドの内側から空気を吸引するステップとを具えたことを特徴とするものである。


【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】変更
【補正の内容】
【００２９】
本発明の第７の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、前記気液分離部材の少なくとも外周縁部を筒状の熱融着ヘッドを用いて前記負圧導入部に熱融着するステップと、この熱融着ステップ中に前記気液分離部材の通気領域およびその周辺を熱遮断部材で覆うステップとを具えたことを特徴とするものである。


【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】変更
【補正の内容】
【００３１】
本発明の第８の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、筒状の熱融着ヘッドを前記気液分離部材を介して前記負圧導入部に押し当てるステップと、前記熱融着ヘッドを前記気液分離部材の少なくとも外周縁部に押し当てた後に前記熱融着ヘッドの先端部のみを加熱し、前記気液分離部材の少なくとも外周縁部を前記負圧導入部に熱融着させるステップとを具えたことを特徴とするものである。


【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】変更
【補正の内容】
【００３３】
本発明の第９の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、前記気液分離部材の少なくとも外周縁部をレーザーを用いて前記負圧導入部に熱融着することを特徴とするものである。


【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】変更
【補正の内容】
【００３５】
本発明の第１０の形態は、内部に負圧を導入するための負圧導入部と、この負圧導入部から導入される負圧により内部に液体を取り入れるための液体取り入れ部と、前記負圧導入部に設けられて気体のみを通す気液分離部材とを有する液体タンクの製造方法であって、前記気液分離部材の少なくとも通気領域の一部を振動遮断手段で押さえた状態で、前記気液分離部材の少なくとも外周縁部を超音波溶着により固定することを特徴とするものである。


【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】変更
【補正の内容】
【００３７】
本発明の第１１の形態は、本発明の第５から第１０の形態による液体タンクの製造方法に依存していることを特徴とする液体タンクにある。


【手続補正３４】
【補正対象書類名】明細書
【補正対象項目名】００３８
【補正方法】変更
【補正の内容】
【００３８】
本発明の第１２の形態は、本発明の第１から第４および第１１の形態による液体タンクに負圧を作用させて液体を導入するための負圧発生機構を具えたことを特徴とするインクジェット装置にある。


【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】変更
【補正の内容】
【００５４】
【発明の実施の形態】
本発明の第１または第２の形態による液体タンクにおいて、気液分離部材が接合部と通気領域との間に非接合部をさらに有するものであってよい。この場合、非接合部が非加熱部であってよい。


【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】変更
【補正の内容】
【００６３】
本発明の第１から第４の何れかの形態による液体タンクにおいて、気液分離部材がＰＴＦＥからなるものであってよい。この場合、気液分離部材が撥液処理を施されているものであってよい。


【手続補正５８】
【補正対象書類名】明細書
【補正対象項目名】００６５
【補正方法】変更
【補正の内容】
【００６５】
本発明の第８の形態による液体タンクの製造方法において、気液分離部材に接触する熱融着ヘッドの先端部にのみヒータが組み込まれているものであってよい。


【手続補正５９】
【補正対象書類名】明細書
【補正対象項目名】００６６
【補正方法】変更
【補正の内容】
【００６６】
本発明の第５から第１０の何れかの形態による液体タンクの製造方法において、気液分離部材がＰＴＦＥからなるものであってよい。この場合、気液分離部材が撥液処理を施されているものであってよい。


【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】変更
【補正の内容】
【００７０】
本発明の第１２の形態によるインクジェット装置において、気液分離部材がＰＴＦＥからなるものであってよい。この場合、気液分離部材が撥液処理を施されているものであってよい。


【手続補正６４】
【補正対象書類名】明細書
【補正対象項目名】００７２
【補正方法】削除
【補正の内容】
【手続補正６５】
【補正対象書類名】明細書
【補正対象項目名】００７３
【補正方法】削除
【補正の内容】